Podtech/llm-jp-corpus-v4-ja_patent huggingface dataset:
(57)【要約】      （修正有）【課題】充填剤を使用してＬＥＤランプの放熱をするＬＥＤランプを提供する。【解決手段】チップ型（表面実装型）ＬＥＤ１をアルミ基台２に取付け、又は砲弾型ＬＥＤ４をプリント基板に取付けたものに絶縁性と熱伝導に優れた、放熱性の良い、粘性の低い、安価な充填剤３を塗布するか、又はランプ形状が平形のランプ、円錐状のランプ、球状のランプ等の場合には  この充填剤３を型に流し込むことにより容易に形作ることができる。この充填剤３を使用してＬＥＤランプの放熱をすることを特徴とする。【選択図】図１
0003147454.tif 000002
【実用新案登録請求の範囲】
【請求項１】
ＬＥＤランプの放熱にアルミ等のヒートシンクでなく、絶縁性と熱伝導に優れた、放熱性の良い、粘性の低い、且つ安価な充填剤３を使用して、ＬＥＤランプの放熱をすることを特徴とするＬＥＤランプ。
【請求項２】
前記ＬＥＤランプの形状が平形のランプ、円錐状のランプ、球状のランプ等の場合に、前記の充填剤３を型に流し込むことにより容易に形作ることができることを特徴とする請求項１記載の  充填剤３を使用してＬＥＤランプの放熱をするＬＥＤランプ。
【考案の詳細な説明】
【技術分野】
【０００１】  この考案は、ＬＥＤランプの放熱方法に関する。
【背景技術】
【０００２】  従来のＬＥＤ数個を１枚のプリント基板に取付けて点灯する時は放熱の必要はなかった。しかし白色のＬＥＤが発明されてから、白色ＬＥＤを数百個または数千個を一箇所に装着して白色ＬＥＤランプとして点灯すると、ＬＥＤによる発熱が大きくなりＬＥＤの破壊又は輝度劣化が進む問題が出た。これを防止するために放熱の必要が生じた。その放熱方法としては図５に示すようにチップ型（表面実装型）ＬＥＤ１をアルミ基台２に取付け、そのアルミ基台２にアルミの削り出し又は押し出し成型したアルミヒートシンク７を接着して熱伝導させ放熱していた。又は図６に示すように砲弾型ＬＥＤ４を取付けたプリント基板５にアルミヒートシンク７を密着させて熱伝導させ放熱していた。
【考案の開示】
【考案が解決しようとする課題】
【０００３】  しかしながら、以上の技術によれば、図５の場合はチップ型（表面実装型）ＬＥＤ１をアルミ基台２に取付けたものをアルミヒートシンク７に接着させれば放熱は上手くいくが、大きく、重く、コスト高になる。
図６の場合は砲弾型ＬＥＤ４をプリント基板５に取付けたものをアルミヒートシンク７に密着させることは簡単ではない。
【課題を解決するための手段】
【０００４】  以上の課題を解決するために、第一考案は、プリント基板５に  絶縁性と熱伝導に優れた、放熱性の良い、粘性の低い、且つ安価な充填剤３を塗布することを特徴とする充填剤３を使用してＬＥＤランプの放熱をするＬＥＤランプである。
また、第二考案は、ランプ形状が平形のランプ、円錐状のランプ、球状のランプ等の場合には絶縁性と熱伝導に優れた、放熱性の良い、粘性の低い、且つ安価な充填剤３を型に流し込むことにより容易に形作ることができることを特徴とする充填剤３を使用してＬＥＤランプの放熱をするＬＥＤランプである。
【考案の効果】
【０００５】    第一考案、第二考案によりＬＥＤランプがどのような形状であっても製作でき、且つ絶縁性と熱伝導に優れた、放熱性の良い、粘性の低い、安価な充填剤３を使用してＬＥＤランプの放熱をするＬＥＤランプである。
【考案を実施するための最良の形態】
【０００６】  この考案の一実施形態としてチップ型（表面実装型）ＬＥＤ１用のアルミ基台２用を図１に示す。
この図１のアルミ基台２の周囲に同一寸法の囲いを設け、その囲いの中へ絶縁性と熱伝導に優れた、放熱性の良い、粘性の低い、安価な充填剤３を流し込んで、乾燥後囲いを取り除くと、チップ型（表面実装型）ＬＥＤ１の充填剤３を使用してＬＥＤランプの放熱をするＬＥＤランプである。
砲弾型ＬＥＤ４のプリント基板５用の実施形態を図２に示す。
砲弾型ＬＥＤ４が取付けられたプリント基板５の周囲に同一寸法の囲いを設け、その囲いの中へ絶縁性と熱伝導に優れた、放熱性の良い、粘性の低い、安価な充填剤３を流し込んで、乾燥後囲いを取り除くと砲弾型ＬＥＤ４用の充填剤３を使用してＬＥＤランプの放熱をするＬＥＤランプである。
【実施例】
【０００７】  この実施例によれば、アルミ基台２又はプリント基板５と絶縁性と熱伝導に優れた、放熱性の良い、粘性の低い、安価な充填剤３が密着しておりＬＥＤの発散する熱量が充填剤３に熱伝道して放熱する。この充填剤３の体積が大きくなると放熱面積も大きくなり放熱効果が上がる。
【産業上の利用可能性】
【０００８】  地球温暖化が問題になっており、その原因のひとつであるＣＯ２を削減する事が重要視されている現況で  ＬＥＤランプの需要は今後益々増えていく。
しかし輝度半減期が４万時間〜５万時間と言われている白色ＬＥＤを使用したＬＥＤランプの放熱を完全にしないと  ＬＥＤから発散する熱で直ぐに輝度劣化を起こす。
そこでこの充填剤３を使用してＬＥＤランプの放熱を特徴とするＬＥＤランプを採用すれば放熱が完全になされて輝度劣化を防げる。
【図面の簡単な説明】
【０００９】
【図１】この発明の一実施形態を示すチップ型（表面実装型）ＬＥＤ１をアルミ基台２に装着して充填剤３を使用してＬＥＤランプの放熱をするＬＥＤランプである。
【図２】この発明の一実施形態を示す砲弾型ＬＥＤ４をプリント基板５に取付けして充填剤３を使用してＬＥＤランプの放熱をするＬＥＤランプである。
【図３】チップ型（表面実装型）ＬＥＤ１をアルミ基台２に装着して充填剤３を密着させて、その充填剤３部分にアルミ板やフィン６を取り付けて、ＬＥＤランプの放熱を促進するＬＥＤランプである。
【図４】砲弾型ＬＥＤ４をプリント基板５に取り付けして充填剤３を密着させて、その充填剤３部分にアルミ板やフィン６を取り付けて、ＬＥＤランプの放熱を促進するＬＥＤランプである。
【図５】従来技術を示すチップ型（表面実装型）ＬＥＤ１をアルミ基台２に取付け、そのアルミ基台２にアルミの削り出し又は押し出し成型したアルミヒートシンク７を接着した側面図である。
【図６】従来技術を示す砲弾型ＬＥＤ４を取付けたプリント基板５にアルミヒートシンク７を密着させた側面図である。
【符号の説明】
【００１０】  １  チップ型（表面実装型）ＬＥＤ
２  アルミ基台
３  充填剤
４  砲弾型ＬＥＤ
５  プリント基板
６  アルミヒートシンク
【図１】
0003147454.tif 000003
【図２】
0003147454.tif 000004
【図３】
0003147454.tif 000005
【図４】
0003147454.tif 000006
【図５】
0003147454.tif 000007
【図６】
0003147454.tif 000008
【手続補正書】
【提出日】平成20年9月19日(2008.9.19)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤランプの構成として、チップ型ＬＥＤ１をアルミ基台２に取り付け、そのアルミ基台２に  アルミ等のヒートシンク６でなく、絶縁性と熱伝導に優れた、放熱性の良い、粘性の低い、且つ安価なモールド剤３を接着させて、ＬＥＤの放熱をすることを特徴とするＬＥＤランプ。
(57)【要約】      （修正有）【課題】騒音の中や歩行中でも携帯電話の着信を容易に感知することができるバイブレーター内蔵小型受信機を提供する。【解決手段】携帯電話の着信電波を受信するバイブレーター内蔵の小型受信機を指輪、ブレスレット、イヤリング、ピアス、眼鏡フレーム、時計又はネックレスに取付け、携帯電話の着信電波を感知することを特徴とする、バイブレーター内蔵小型受信機である。【選択図】図３
0003147457.tif 000002
【実用新案登録請求の範囲】
【請求項１】
携帯電話の着信電波を受信するバイブレーター内臓の小型受信機を指輪、ブレスレット、イヤリング、ピアス、眼鏡フレーム、時計、ネックレスに取付け乃至粘着させ、及び身体の一部に付着させ、携帯電話の着信電波を感知する、バイブレーター内臓小型受信機。
【考案の詳細な説明】
【技術分野】
【０００１】本案は上記のごとくして、１図に示すごとく、携帯電話１、２図に示すごとく、携帯電話着信電波感知バイブレーター内臓小型受信機、３図に示す如く携帯電話着信電波感知バイブレーター内臓小型受信機を、指輪、ブレスレット、イヤリング、ピアス、眼鏡フレーム、時計、ネックレスに取付け乃至粘着させ、及び身体の一部に付着させる考案である。
【考案の開示】
【考案が解決しようとする課題】
【０００２】本案は、従来の携帯電話の着信電波感知は着信音又はバイブレーターであり、静寂を必要とする場所ではマナーモード又はドライブモードにして着信音又はバイブレーターの振動を停止したりするので緊急時の受信の確認が困難であった、また騒音の場所及び歩行中でも携帯電話の着信音又はバイブレーターでの着信を感知するのは困難であった。
【課題を解決するための手段】
【０００３】本案は、携帯電話の着信を携帯電話着信電波感知バイブレーター内臓小型受信機を、指輪、ブレスレット、イヤリング、ピアス、眼鏡フレーム、時計、ネックレスに取付け乃至粘着させ、及び身体の一部に付着させる考案である。
【考案の効果】
【０００４】本案は、携帯電話の着信電波感知は着信音又はバイブレーターであり、静寂を必要とする場所ではいずれも避けなければならずマナーモード又はドライブモードにして着信音又はバイブレーターの振動を停止したりするので緊急時の受信の確認が困難であった、また騒音の場所及び歩行中でも携帯電話の着信音又はバイブレーターでの着信を感知するのは困難であった。受信者は携帯電話の着信を携帯電話着信電波感知バイブレーター内臓小型受信機を指輪、ブレスレット、イヤリング、ピアス、眼鏡フレーム、時計、ネックレスに取付け乃至粘着させ、及び身体の一部に付着させることにより携帯電話着信を容易に感知し得るのであり、緊急で重要な着信を確実に感知することが出来る等、その益する所甚だ大である。
【図面の簡単な説明】
【０００５】
【図１】携帯電話外観図
【図２】携帯電話着信電波感知バイブレーター内臓小型受信機図
【図３】携帯電話着信電波感知バイブレーター内臓小型受信機を取付けた、指輪、ブレスレット、イヤリング、ピアス、眼鏡フレーム、時計、ネックレス図
【符号の説明】
【０００６】１．      携帯電話
２．      携帯電話着信電波感知バイブレーター内臓小型受信機
３．      携帯電話着信電波感知バイブレーター内臓小型受信機を取付けた、指輪、ブレスレット、イヤリング、ピアス、眼鏡フレーム、時計、ネックレス
【図１】
0003147457.tif 000003
【図２】
0003147457.tif 000004
【図３】
0003147457.tif 000005
【手続補正書】
【提出日】平成20年10月2日(2008.10.2)
【手続補正１】
【補正対象書類名】実用新案登録請求の範囲
【補正対象項目名】全文
【補正方法】変更
【補正の内容】
【実用新案登録請求の範囲】
【請求項１】
携帯電話の着信電波を受信するバイブレーター内臓の小型受信機を指輪、ブレスレット、イヤリング、ピアス、眼鏡フレーム、時計又はネックレスに取付け携帯電話の着信電波を感知する、バイブレーター内臓小型受信機。
【手続補正２】
【補正対象書類名】明細書
【補正対象項目名】０００１
【補正方法】変更
【補正の内容】
【０００１】本案は、上記のごとくして、１図に示すごとく、携帯電話１、２図に示すごとく、携帯電話着信電波感知バイブレーター内臓小型受信機、３図に示すごとく、携帯電話着信電波感知バイブレーター内臓小型受信機を、指輪、ブレスレット、イヤリング、ピアス、眼鏡フレーム、時計又は、ネックレスに取付け携帯電話の着信電波を感知する考案である。
【手続補正３】
【補正対象書類名】明細書
【補正対象項目名】０００３
【補正方法】変更
【補正の内容】
【０００３】本案は、携帯電話の着信を携帯電話着信電波感知バイブレーター内臓小型受信機を、指輪、ブレスレット、イヤリング、ピアス、眼鏡フレーム、時計又は、ネックレスに取付け携帯電話の着信電波を感知する考案である。
【手続補正４】
【補正対象書類名】明細書
【補正対象項目名】０００４
【補正方法】変更
【補正の内容】
【０００４】本案は、携帯電話の着信電波感知は着信音又はバイブレーターであり、静寂を必要とする場所ではいずれも避けなければならずマナーモード又はドライブモードにして着信音又はバイブレーターの振動を停止したりするので緊急時の受信の確認が困難であった、また騒音の場所及び歩行中でも携帯電話の着信音又はバイブレーターでの着信を感知するのは困難であった、受信者は携帯電話の着信を携帯電話着信電波感知バイブレーター内臓小型受信機を、指輪、ブレスレット、イヤリング、ピアス、眼鏡フレーム、時計又は、ネックレスに取付けることにより携帯電話着信を容易に感知し得るのであり、緊急で重要な着信を確実に感知することが出来る等、その益する所甚だ大である。
(57)【要約】      （修正有）【課題】竿を体の一部に付着固定させることで釣りの途中に両手を自由に使う事が出来る竿止め装置を提供する。  【解決手段】竿のグリップエンドを入れて竿を固定するためのカップで入り口を竿のグリップエンドを入れやすくするため大きめにしたカップとカップに付けた板であってそれをベルトに挟んで固定させるための板とし、カップの中に水が溜まらないように穴を開けた水抜き穴とする。そして竿の途中部分を固定するためのフックと竿をフックから外に出さないためのスイングドアをベストや着衣の肩口に固定するためのクリップと一体化したものでクリップの内側は先の尖った複数の突起物で構成された竿止め装置である。【選択図】図１
0003147459.tif 000002
【実用新案登録請求の範囲】
【請求項１】
竿を体の一部に付着固定させる事で釣りの途中に両手を自由に使う事が出来る竿止め装置を提供するものです。
【考案の詳細な説明】
【技術分野】
【０００１】  本考案は体の一部に釣竿を付着固定することで両手を自由に使って魚釣りをすることを目的としたものです。
【背景技術】
【０００２】  今までは魚が釣れたり餌を付け替えたりする時は竿を足元に置いたり股もしくは脇に竿を差したりと不自然な形で行っていた。
【考案の開示】
【考案が解決しょうとする課題】
【０００３】  竿を足元の岩場その他硬い所に置くと竿に傷が付き股および脇等に竿を差して作業をすると作業性が著しく悪くなっていた。
【課題を解決する為の手段】
【０００４】  １  竿のグリップエンドをベルトの一部に取り付けられたカップ状の物に入れそこから７０〜１００ｃｍのところにベストに付けられたフック状の物に竿を固定する。
２  ベストを使用しない場合はベルト状の物をたすき掛けにして胸の所にフックを付けて竿を固定する。
３  カップはプラスチックで出来ており入り口は少し大きめにすることで竿のグリップエンドを入れやすくしカップの底は穴を数個開ける事で水が溜まるのを防ぐ事が出来る。
４  胸の部分のフックは金属もしくはプラスチックで出来ていて片方が蝶番片方がフリーで動く事の出来る鉤のようなもの。
５  フックの部分はプラスチックもしくは金属で出来たクリップ状の物に固定されていてスプリングで板２枚が開閉される。
【考案の効果】
【０００５】  竿を岩場やコンクリートその他硬い場所に置くと大切な竿に傷が付きやすく脇股に竿を差して作業することはとても困難です。
本考案は体に竿を付着固定させることで両手を使い作業することが出来ます。
【実施例】
【０００６】  竿のグリップエンドを腰のベルトに付けたカップ図１−１に入れ胸にフックの付いたクリップ図３−４に付いている開閉自在な扉図３−７を有するクリップに竿のグリップエンドより７０〜１００ｃｍ位のところの竿を入れることによって固定する事が出来る。
クリップ図４−５をつまみ開閉することでベストの胸の部分に付着させることが出来る使用中にズレ無いようにするため１ｍｍ位の円錐形の突起物図３−８を数個付け腰のベルトにカップを固定する為にカップに付けた板図１−２を差し込む
カップに水が入って溜まるのを防ぐためにカップの底に数個穴を設ける図１−３
【図面の簡単な説明】
【０００７】
【図１】竿のグリップエンドを差込ベルトに固定するカップの立面図
【図２】カップの立面図
【図３】ベストの胸の辺りに挟んで固定し竿を入れる為のフック付きクリップの立面図
【図４】フック付きクリップの立面図
【符号の説明】
【０００８】１  プラスチックもしくは金属で出来たカップ
２  ベルトに固定するための板
３  水抜き用の穴
４  クリップ本体
５  クリップの摘まみ
６  竿を固定するフック
７  竿を出し入れするスイング扉
８  滑り止めの突起
９  クリップスプリング
【図１】
0003147459.tif 000003
【図２】
0003147459.tif 000004
【図３】
0003147459.tif 000005
【図４】
0003147459.tif 000006
【手続補正書】
【提出日】平成20年10月2日(2008.10.2)
【手続補正１】
【補正対象書類名】実用新案登録請求の範囲
【補正対象項目名】全文
【補正方法】変更
【補正の内容】
【実用新案登録請求の範囲】
【請求項１】
竿のグリップエンドを入れて竿を固定するためのカップで入り口を竿のグリップエンドを入れやすくするため大きめにしたカップとカップに付けた板であってそれをベルトに挟んで固定させるための板とし  また  カップの中に水が溜まらないように穴を開けた水抜き穴とする  もうひとつは竿の途中部分を固定するためのフックと竿をフックから外に出さないためのスイングドアをベストや着衣の肩口に固定するためのクリップと一体化したものでクリップの内側は先の尖った複数の突起物で構成された  竿止め装置。
(57)【要約】      （修正有）【課題】前回使用者との接触がなく、臭いも遮断できる緊急トイレ用ポリ袋を提供する。【解決手段】ポリ袋１０枚分を重ね合わせ、最初の人は使用後ポリ袋を左右から閉じておく。次の人は２枚目のポリ袋を使用し、使用後はポリ袋を左右から閉じておく。その様に次々と使用し、最後は１０枚目のポリ袋を結束バンドで絞って閉じる。以上の様に、９回分を１包みで廃棄できるようにした。【選択図】図１
0003147451.tif 000002
【実用新案登録請求の範囲】
【請求項１】
ポリ袋を５重にして１０枚分の１枚づつを被せるようにする底部を熱着。
【請求項２】
ポリ袋の底部を開放して結束バントで絞る
マンホール等で結束バント（底部の）を切断すると一気に廃棄できる
【考案の詳細な説明】
【技術分野】
【０００１】本品はポリ袋を５層１０枚にして９回分１包で廃棄出来るよう考案しました。
【背景技術】
【０００２】１回で１袋づつ使用すると廃棄物大量になり、所構わず脱糞するので不衛生となる。
【考案の開示】
【考案が解決しようとする課題】
【課題を解決するための手段】
【０００３】ダンボールの箱にセットしても、西洋式便器にセットしても１回毎に袋の新らしい部分が接触する。
【考案の効果】前回使用者の接触がないので気持悪さがなく、臭いも遮断出来る。
【実施例】
【図面の簡単な説明】ポリ袋１０枚分の内１枚を右側面に被せ使用
次の人は１０枚分の２枚目を右側面に被せ次々に左から右へ被せ使用して最后は結束バンドで絞って閉じる。
【符号の説明】
１  ポリ袋の最初の１枚
２  ポリ袋９枚
３  熱着
【図１】
0003147451.tif 000003
【図２】
0003147451.tif 000004
【手続補正書】
【提出日】平成20年6月5日(2008.6.5)
【手続補正１】
【補正対象書類名】実用新案登録請求の範囲
【補正対象項目名】全文
【補正方法】変更
【補正の内容】
【実用新案登録請求の範囲】
【請求項１】
５重にしたポリ袋をダンボール箱に被せ排泄物をした後、反対側からポリ袋を被せ新たに排泄する。〔大地震等の緊急用トイレ用ポリ袋〕
【請求項２】
何人かが使用したら束ねて結束バンドで縛り廃棄する。
【手続補正２】
【補正対象書類名】明細書
【補正対象項目名】全文
【補正方法】変更
【補正の内容】
【考案の詳細な説明】
【技術分野】
【０００１】本品はポリ袋を５層１０枚にして９回分１包で廃棄出来るよう考案しました。
【背景技術】
【０００２】１回で１袋づつ使用すると廃棄物大量になり、所構わず脱糞するので不衛生となる。
【考案の開示】
【考案が解決しようとする課題】
【課題を解決するための手段】
【０００３】ダンボールの箱にセットしても、西洋式便器にセットしても１回毎に袋の新らしい部分が接解する。
【考案の効果】前回使用者の接触がないので気持悪さがなく、臭いも遮断出来る。
【実施例】
【図面の簡単な説明】
【図１】
0003147451.tif 000005
【図２】大地震等の緊急用トイレ用ポリ袋本体の立体図である。
【符号の説明】
１  ポリ袋の最初の１枚
２  ポリ袋の２枚目
３  ポリ袋の１０枚目
４  ポリ袋熱着部分
【手続補正３】
【補正対象書類名】図面
【補正対象項目名】全図
【補正方法】変更
【補正の内容】
【図１】
0003147451.tif 000006
【手続補正書】
【提出日】平成20年9月26日(2008.9.26)
【手続補正１】
【補正対象書類名】実用新案登録請求の範囲
【補正対象項目名】全文
【補正方法】変更
【補正の内容】
【実用新案登録請求の範囲】
【請求項１】
５重にしたポリ袋をダンボール箱に被せ排世物をした後、反対側からポリ袋を被せ新たに排世することを特徴とする大地震等の緊急用トイレ用ポリ袋。
【請求項２】
何人かが使用したら束ねて結束バンドで縛り廃棄することを特徴とする請求項１に記載された大地震等の緊急用トイレ用ポリ袋。
(57)【要約】      （修正有）【課題】溶接作業の際、少しでも指や肩の疲れを無くすための治具を提供する。  【解決手段】取っ手１の中心に固定し、塩ビ溶接棒４のガイド役をする筒状のパイプ３を設けた治具であり、取っ手１の中心に筒状のパイプ３を固定し、パイプ３の中を塩ビ溶接棒４が通る太さとし、さらに、塩ビ溶接棒４が片側方向下向きにだけ進むように、塩ビ溶接棒４側面に突き刺さる尖端をしたバネ２を取っ手１の先に設ける。また、塩ビ溶接棒４を取っ手１の中心に固定したパイプ３に通したとき、バネ２から外れないようにパイプ３の端を塩ビ溶接棒４の断面より少し大きめの同じ形状にすることもできる。  【選択図】図１
0003147453.tif 000002
【実用新案登録請求の範囲】
【請求項１】
取っ手１の中を通し塩ビ溶接棒４のガイドの役をするパイプ３を設けた治具
【請求項２】
パイプ３の中を通る塩ビ溶接棒４が下側の方向にだけ進める為のバネ２を設けた治具
【請求項３】
塩ビ溶接棒４が回転しないようにパイプ３の端を溶接棒の形と同じ形にした治具
【考案の詳細な説明】
【技術分野】
【０００１】  本考案は、塩ビ溶接の際溶接棒をつかむ治具に関するものである。
【背景技術】
【０００２】  現在は、溶接棒２ｍｍから４ｍｍ程度の小さな棒を直接手で掴み仕事をしていた。
【考案の開示】
【考案が解決しようとする課題】
【０００３】  しかしながら、このように小さな溶接棒を直接手に持って１日中作業をすると指や肩が凄く疲れる。【０００４】  本考案は溶接作業の際、少しでも指や肩の疲れを無くす治具を提供するものである。
【課題を解決するための手段】
【０００５】  上記の目的を達成する本考案の構成を説明すると、溶接棒ガイド用パイプ３の中を通る塩ビ溶接棒４の方向を下方向にだけ進めるバネ２と指先の疲れを無くす太い取っ手１を設けた治具。又、塩ビ溶接棒４が回転しないようにパイプ３の端を塩ビ溶接棒４の形に加工したパイプ３の端。
【考案の効果】
【０００６】  取っ手１を持って下側に押えるとパイプ３の中の塩ビ溶接棒４が、バネ２に刺さるようになり塩ビ溶接棒４を押さえる事ができる。【０００７】  塩ビ溶接棒４が短くなったら、取っ手１を上側に持ち上げる。その際、塩ビ溶接棒４に刺さっていたバネ２がはずれ塩ビ溶接棒４の上側へ持ち直す事ができる。【０００８】  パイプ３の下の端を塩ビ溶接棒４の断面より少し大きな同じ形の断面とすることで塩ビ溶接棒４の回転を無くす事ができ、確実に塩ビ溶接棒にバネが刺さり押さえる事ができる。
【考案を実施するための最良の形態】
【０００９】  取っ手１の太さを２０ｍｍ程度にする事で、２ｍｍから４ｍｍ程度の太さの塩ビ溶接棒４を持つのと比べるとはるかに疲れが少なくてすむ。【００１０】  この治具は取っ手１の部分を人の手に馴染む大きさとする。パイプ３の太さは塩ビ溶接棒４が通る太さとし下部の端は塩ビ溶接棒４の断面に近い形に加工する。そうする事で溶接棒の回転を無くす事ができる。
【産業上の利用可能性】
【００１１】  以上説明したように指先で掴んでいた塩ビ溶接棒４を手の平全体で取っ手１を掴む事で疲れは少なくなり、１日の仕事を楽に処理する事ができる。
【図面の簡単な説明】
【００１２】
【図１】  正面図    側面図    パイプ端断面図
【符号の説明】
【００１３】  １      取っ手
２      バネ
３      パイプ
４      塩ビ溶接棒
【図１】
0003147453.tif 000003
【手続補正書】
【提出日】平成20年7月22日(2008.7.22)
【手続補正１】
【補正対象書類名】実用新案登録請求の範囲
【補正対象項目名】請求項１
【補正方法】変更
【補正の内容】
【請求項１】
取っ手１の中心に固定し塩ビ溶接棒４のガイドの役をする筒状のパイプ３を設けた治具。
【手続補正２】
【補正対象書類名】実用新案登録請求の範囲
【補正対象項目名】請求項２
【補正方法】変更
【補正の内容】
【請求項２】
取っ手１の中心に筒状のパイプ３を固定し、パイプ３の中を塩ビ溶接棒４が通る太さとする。尚、塩ビ溶接棒４が片側方向下向きにだけ進むように、塩ビ溶接棒４側面に突き刺さる尖端をしたバネ２を取っ手１の先に設ける請求項１記載の治具。
【手続補正３】
【補正対象書類名】実用新案登録請求の範囲
【補正対象項目名】請求項３
【補正方法】変更
【補正の内容】
【請求項３】
取っ手１の中心に固定したパイプ３の中を通した塩ビ溶接棒４が、パイプ３の中でねじれバネ２が塩ビ溶接棒４から外れないように、パイプ３の端を塩ビ溶接棒４の断面より少し大きめの同じ形状をしたパイプ３を特徴とする請求項１記載の治具。
【手続補正書】
【提出日】平成20年9月24日(2008.9.24)
【手続補正１】
【補正対象書類名】実用新案登録請求の範囲
【補正対象項目名】全文
【補正方法】変更
【補正の内容】
【実用新案登録請求の範囲】
【請求項１】
取っ手１の中心に固定し塩ビ溶接棒４のガイドの役をする筒状のパイプ３を設けた治具。
【請求項２】
取っ手１の中心に筒状のパイプ３を固定し、パイプ３の中を塩ビ溶接棒４が通る太さとし、さらに、塩ビ溶接棒４が片側方向下向きにだけ進むように、塩ビ溶接棒４側面に突き刺さる尖端をしたバネ２を取っ手１の先に設ける請求項１記載の治具。
【請求項３】
塩ビ溶接棒４を取っ手１の中心に固定したパイプ３に通したとき、バネ２から外れないようにパイプ３の端を塩ビ溶接棒４の断面より少し大きめの同じ形状にした請求項１記載の治具。
(57)【要約】      （修正有）【課題】腹膜透析用外部カテーテルを収納するポケット付ベルトを提供する。【解決手段】カテーテルを傷つけない為に金属や突起物を一切使わず、皮膚への負担がかからないような通気性の良いメッシュ素材のゴム製を使用し、カテーテルを衛生かつ安全に収納するポケット２を作り、マジックテープの長短を自在に調整できるベルト形式にしている為、スマートに違和感無く付ける事が出来る。また、洗濯も自宅でできるので経済的である。【選択図】図１
0003147458.tif 000002
【実用新案登録請求の範囲】
【請求項１】
腹膜透析におけるカテーテルの収納に際し、安全でかつ衛生的に収納自在で通気性の良いメッシュ素材のゴム製で、マジックテープの長短を自在に調整できるところを特徴としたポケット付の腹膜透析用外部カテーテル収納ベルト。
【考案の詳細な説明】
【技術分野】
【０００１】本考案は、腹膜透析用外部カテーテルを収納するポケット付ベルトに関するものである。
【背景技術】
【０００２】以前は、外部カテーテルをガーゼで保護し絆創膏を直接肌につけて固定していた。
【考案の開示】
【考案が解決しようとする課題】
【０００３】ガーゼで保護し絆創膏を直接肌につけて固定することは、皮膚への負担も大きく皮膚炎を起こしやすい。また、ガーゼと絆創膏により腰周りに厚みが出てしまい着られる洋服が限られてしまっていた。そして、ガーゼと絆創膏を使い捨てにしなければならないので、不経済であった。
【課題を解決するための手段】
【０００４】本考案は、カテーテルを傷つけない為に金属や突起物を一切使わず、皮膚への負担がかからないような通気性の良いメッシュ素材のゴム製を使用し、カテーテルを衛生かつ安全に収納するポケットを作った。また、マジックテープの長短を自在に調整できるベルト形式している為に、スマートに見せる為のポケットの幅を研究し、問題を解決している。
【考案の効果】
【０００５】上述のように、本考案は通気性の良いメッシュ素材のゴム製を使用している為、皮膚への負担がかからずスマートにカテーテルをポケットに収納できるようになり、腰周りの違和感がほぼ感じられなくなった。
【考案を実施するための最良の形態】
【０００６】腰にベルトをあて、マジックテープの長短が自在に調整可能なので、自分の体型に合わせた所でマジックテープを止める。そして、ポケットの開口部分よりカテーテルを収納する。
【実施例】
【０００７】以下、添付図面に従って実施例を説明する。本考案を腰に巻き、自分の体型に合わせ１のマジックテープで止める。２のポケットの開口部分からカテーテルを収納する。
【図面の簡単な説明】
【０００８】
【図１】本考案の腹膜用外部カテーテル収納ベルトの実施例を示す正面図である。
【符号の説明】
【０００９】１  マジックテープ
２  ポケット開口部分
【図１】
0003147458.tif 000003
【手続補正書】
【提出日】平成20年9月29日(2008.9.29)
【手続補正１】
【補正対象書類名】実用新案登録請求の範囲
【補正対象項目名】全文
【補正方法】変更
【補正の内容】
【実用新案登録請求の範囲】
【請求項１】
腹膜透析におけるカテーテル収納に際し、安全でかつ衛生的に収納自在で通気性の良いメッシュ素材のゴム製で、マジックテープ（登録商標）の長短を自在に調整できるところを特徴としたポケット付の腹膜透析用外部カテーテル収納ベルト。
【手続補正２】
【補正対象書類名】明細書
【補正対象項目名】全文
【補正方法】変更
【補正の内容】
【考案の詳細な説明】
【技術分野】
【０００１】本考案は、腹膜透析用外部カテーテルを収納するポケット付ベルトに関するものである。
【背景技術】
【０００２】以前は、外部カテーテルをガーゼで保護し絆創膏を直接肌につけて固定していた。
【考案の開示】
【考案が解決しようとする課題】
【０００３】ガーゼで保護し絆創膏を直接肌につけて固定することは、皮膚への負担も大きく皮膚炎を起こしやすい。また、ガーゼと絆創膏により腰周りに厚みが出てしまい着られる洋服が限られてしまっていた。そして、ガーゼと絆創膏を使い捨てにしなければならないので、不経済であった。
【課題を解決するための手段】
【０００４】本考案は、カテーテルを傷つけない為に金属や突起物を一切使わず、皮膚への負担がかからないように通気性の良いメッシュ素材のゴム製を使用し、カテーテルを衛生かつ安全に収納するポケットを作った。また、マジックテープ（登録商標）の長短を自在に調整できるベルト形式している為に、スマートに見せる為のポケットの幅を研究し、問題を解決している。
【考案の効果】
【０００５】上述のように、本考案は通気性の良いメッシュ素材のゴム製を使用している為、皮膚への負担がかからずスマートにカテーテルをポケットに収納できるようになり、腰周りの違和感がほぼ感じられなくなった。
【考案を実施するための最良の形態】
【０００６】腰にベルトをあて、マジックテープ（登録商標）の長短が自在に調整可能なので、自分の体型に合わせた所でマジックテープ（登録商標）を止める。そして、ポケットの開口部分よりカテーテルを収納する。
【実施例】
【０００７】以下、添付図面に従って実施例を説明する。本考案を腰に巻き、自分の体型に合わせ（１）のマジックテープ（登録商標）で止める。（２）のポケットの開口部分からカテーテルを収納する。
【図面の簡単な説明】
【０００８】
【図１】本考案の腹膜用外部カテーテル収納ベルトの実施例を示す正面図である。
【符号の説明】
【０００９】（１）  マジックテープ（登録商標）
（２）  ポケット開口部分
【手続補正３】
【補正対象書類名】図面
【補正対象項目名】全図
【補正方法】変更
【補正の内容】
【図１】
0003147458.tif 000004
(57)【要約】      （修正有）【課題】初老から始まる勃起不全などを改善するものであると同時に、いかなる場合にも即、取り外すことが可能な加圧ベルトを提供する。【解決手段】突起２を外側になるようにして輪を作り、任意の内径に丸め輪を作り装着使用するが、外す場合は、ベルト先端部５を引くことにより即、取り外すことが可能となる。本加圧ベルトは、高齢者の性生活に関与するもので、これを使用することにより、容易に血管を締め付けることが可能で、高齢者にありがちな血液の漏れとなる逆流を防ぐことにより、勃起を容易に助けると共に持続させる効果を有する。そして、ワンタッチで外せ、安全である。【選択図】図２
0003150210.tif 000002
【実用新案登録請求の範囲】
【請求項１】
本考案の即脱着可能な加圧ベルトは、軟性のプラスチック樹脂を金型などでインジェクション等の製法で制作したものを突起部２を外側になるようにして輪を作り、突起部２を突起部受け入れ穴３にそれぞれはめ込み使用する物であるが、任意の内径に丸め輪を作り使用することが可能であると共に、ベルト先端部５を引くことにより即、取り外すことが可能となる特徴をもつものである。
【考案の詳細な説明】
【技術分野】
【０００１】本考案は、初老から始まる勃起不全や、緊張から来る若年性トラブル、中折れなどを改善するものであると同時に、いかなる場合にも即、取り外すことが可能であること。
【背景技術】
【０００２】  従来は陰茎にリングなどをはめる物が一般的であったが、勃起時の脱着が無理であった。途中で外したくても外すことが出来なかった。また、うっかり装着のまま寝たりすると、夜中に激痛で目が覚め、取ろうにも取れず大事になることも屡々あった。それに加え従来の物は、使用中に、もようした場合に容易に外せないため、排尿が困難になる事が多くあり、本考案のきっかけともなったことであるが、慌てたり恐怖感が拭えなかった。
【考案の開示】
【考案が解決しようとする課題】
【０００３】  そこで容易に、そしていつでも取り外し可能なものが必要となる。
【課題を解決するための手段】
【０００４】  上記課題を達成するために、本考案は、圧迫は必須であり、しかも使用中でも何時でも容易に取り外せる物である。突起部２を外側になるように任意の内径に丸め輪を作り、装着して使用するが、外す時はベルト先端部５をベルト止め４から抜いて引っ張れば即取り外すことが可能である。
【考案の効果】
【０００５】本考案は、上述の通り構成されているので、次に記載する効果を奏する。
本考案の即脱着可能な加圧ベルトは、高齢者の性生活に関与するもので、これを使用することにより、容易に血管を締め付けることが可能で、高齢者にありがちな血液の漏れとなる逆流を防ぐことにより、勃起を容易に助けると共に持続させる効果を有する。そして、ワンタッチで外せ、安全であることも本考案の特徴となる。
【考案を実施するための最良の形態】
【０００６】  本考案の即脱着可能な加圧ベルトは、適当な圧迫を生みだし、尚かつ脱着が容易に出来る。突起部２を外側になるように任意の内径に丸め輪を作り、装着して使用し、外す時はベルト先端部５をベルト止め４から抜いて引っ張れば即取り外すことが可能である。
本考案のベルト先端部５を引っ張れば良いのである。
【実施例】
【０００７】    実施例について図面を参照して説明する。
図１は即脱着可能な加圧ベルトの全景である。図２、は使用中を想定した図である。突起部２を外側になるようにして輪を作り、突起部２を突起部受け入れ穴３にそれぞれはめ込み使用する物であるが、任意の内径に丸め、輪を作り装着して使用し、外す時はベルト先端部５をベルト止め４から抜いて引っ張れば、即取り外すことが可能である。
【図面の簡単な説明】
【０００８】
【図１】  本考案の即脱着可能な加圧ベルトの正面図と平面図である。
【図２】  本考案の即脱着可能な加圧ベルトの使用中の図である。
【図３】  本考案の即脱着可能な加圧ベルトの突起部２の拡大図である。
【図４】  本考案の即脱着可能な加圧ベルトの突起部受け入れ穴３の拡大図である。
【図５】  本考案の即脱着可能な加圧ベルトのベルト止め４の斜視図である。
【符号の説明】
【０００９】１  本体
２  突起部
３  突起部受け入れ穴
４  ベルト止め
５  ベルト先端部
【図１】
0003150210.tif 000003
【図２】
0003150210.tif 000004
【図３】
0003150210.tif 000005
【図４】
0003150210.tif 000006
【図５】
0003150210.tif 000007
【手続補正書】
【提出日】平成20年12月1日(2008.12.1)
【手続補正１】
【補正対象書類名】実用新案登録請求の範囲
【補正対象項目名】全文
【補正方法】変更
【補正の内容】
【実用新案登録請求の範囲】
【請求項１】
本考案の即脱着可能な加圧ベルトは、軟性のプラスチック樹脂を金型などでインジェクション等の製法で制作したもので、形状は、縦１５ミリメートル程度、横１５０ミリメートル程度、高さ１．５ミリメートル程度の平板状の樹脂からなり、図１を参考にすれば、平板状の一方に突起部２を、もう一方の端に突起部受け入れ穴３を、それぞれ設けたもので、突起部２を外側になるようにして輪を作り、突起部２を突起部受け入れ穴３にそれぞれはめ込み、任意の内径になるなど輪をしてなす構造をもち、この組合わせに係わる状態で、更にベルト先端部５を引くことにより即、取り外すことが可能な構造を特徴とする即脱着可能な加圧ベルト。
【手続補正書】
【提出日】平成21年2月3日(2009.2.3)
【手続補正１】
【補正対象書類名】実用新案登録請求の範囲
【補正対象項目名】全文
【補正方法】変更
【補正の内容】
【実用新案登録請求の範囲】
【請求項１】
本考案の即脱着可能な加圧ベルトは、軟性のプラスチック樹脂を金型などでインジェクション等の製法で制作したもので、形状は、縦１５ミリメートル程度、横１５０ミリメートル程度、高さ１．５ミリメートル程度の平板状の樹脂からなり、平板状の一方の端に突起部２を、もう一方の端に突起部受け入れ穴３を、それぞれ設けたもので、突起部２を外側になるようにして輪を作り、突起部２を突起部受け入れ穴３に任意の内径になるようにそれぞれはめ込み、輪をしてなす構造をもち、この組合わせに係わる状態で、更にベルト先端部５を引くことにより即、取り外すことが可能な構造を特徴とする即脱着可能な加圧ベルト。
(57)【要約】      （修正有）【課題】上部座椅子が、３６０°回転でき非常災害時等にも患者らをスムーズに乗せて移動、運ぶ事と、大人用自転車の車輪タイヤも使用できることを目的とする車椅子を提供する。【解決手段】手動回転３６０°式で車椅子は左右どちらでも自由に回り乗り降りが出来、介助しやすい。身体にやさしく姿勢がよくなり、また木製なので品格が有り人間らしい生活が送れることを特徴とする。後車輪はコストの安い、大人の自転車（７０ｋｇ以上）までの物を十分使用が可能である。【選択図】図３
0003150208.tif 000002
【実用新案登録請求の範囲】
【請求項１】
木製椅子の座上部分と下部分車椅子の一部を合体させ３６０°回転させる事を特徴とする新車椅子である
【考案の詳細な説明】
【考案の詳細な説明】
【技術分野】
【０００１】  本考案は、木製椅子と介護型車椅子に関する。
【背景技術】
【０００２】今までの車椅子は座がビニール製や皮製の合成が従来より多く使用され、持ち運びやすく便利と思われる、立てに筋交が前後に二本入った折りたたみ式が多く知られている。また、従来の後車輪は各メーカーがわざわざコストの高いベヤリングの入っていない車輪を使っているものもある。
【考案が解決しようとする課題】
【０００３】しかしながら長時間座っていると身体の姿勢が悪くなり、自由がきかなく疲労がたまりやすくなる。乗り降りは前方一ヶ所だけで介助する人、患者本人も大変苦労している。また、後車輪は各メーカーの値段の高いものを特注として使用、今だに高価な車椅子が欠点である。
【課題を解決するための手段】
【０００４】本考案は、手動回転３６０°式で車椅子は左右どちらでも自由に回り乗り降りが出来、介助しやすい。身体にやさしく姿勢がよくなり、また木製なので品格が有り人間らしい生活が送れることを特徴とする。後車輪はコストの安い、大人の自転車（７０ｋｇ以上）までの物を十分使用が可能で、もちろん従来の車輪も値段が安くなれば使う事ができ、上記課題を解決するものである。
【実施例】
【０００５】図１及び図３に示すように、上部分図３の▲１▼は身体にやさしい木製の材料（杉、ヒバ、なら、ひのき）を使用し、下部分の骨組みは腐植が少ない（ステンレス、アルミ）などのパイプを使用し、図３▲５▼はコストの安い物たとえば自転車用車輪、ブレーキなどを提供したい。そして、これに連結し手動式回転が出来る用延設されている。【０００６】図３に示すように▲１▼を固定する所はステンレス製▲４▼厚さ２．５ｍｍ、直径２．６ｃｍの太さをもちいて、そしてその上に▲２▼といっしょに強度がある、鉄板メッキ厚さ３ｍｍ  １５ｃｍ×１５ｃｍを溶接とボルトじめをする。【０００７】実施例では▲４▼の中心に回転板を取り付け７０ｋｇ以上の大人が乗ってもたえられるよう設けられている。ボルト、ナット部品等は一部を除きステンレス製を使用している。【０００８】図３の▲６▼が示すように、▲５▼を取り付け、力が加わった時に広がらないよう溶接でしっかり装備してあり舵取りの前輪▲７▼である。【０００９】また、最後まで安全を考えなければならない図２の▲２▼については、従来通りドラム式であるが左、右一緒にレバー１つで止まる様にして有り、走行中には回転しないよう図２の▲１▼をきっちり設置してある。
【考案の効果】
【００１０】本考案に係る手動回転式、新車椅子は左右どちらからでも自由に３６０°回ることができて、乗り降りが楽になった木製の座椅子なので汚れが付きにくく、そして木、特有の軟らかさと暖かさがあり長時間座っている事が出来、実用性に優れている。
【図面の簡単な説明】
【図１】  本考案に係る：上部分の座椅子と全体の平面図である
【図２】  本考案に係る：ブレーキレバー回転止めの付いた後立平面図
【図３】  本考案に係る：上部分と下部分を切り離した組立図面である
【図４】  本考案に係る：完成立面図である
【符号の説明】
▲１▼・・・木製回転椅子
▲３▼・・・ステンレスパイプ架台
▲４▼・・・上部の筋交パイプ
▲８▼・・・裏下の回転板
【図１】
0003150208.tif 000003
【図２】
0003150208.tif 000004
【図３】
0003150208.tif 000005
【図４】
0003150208.tif 000006
【手続補正書】
【提出日】平成20年11月10日(2008.11.10)
【手続補正１】
【補正対象書類名】実用新案登録請求の範囲
【補正対象項目名】全文
【補正方法】変更
【補正の内容】
【実用新案登録請求の範囲】
【請求項１】
今までの折りたたみ式車椅子を２つに区別。
下部分の基礎車体は安全性を保つため、固定のフレームにして車椅子の心臓部とも言われている前、後車輪、ブレーキ等を取付けし木製椅子の座席上部分と下部分を合体させて、上部分椅子が３６０°回転できる事を特徴とした車椅子。
【手続補正書】
【提出日】平成21年2月5日(2009.2.5)
【手続補正１】
【補正対象書類名】実用新案登録請求の範囲
【補正対象項目名】全文
【補正方法】変更
【補正の内容】
【実用新案登録請求の範囲】
【請求項１】
車椅子一式を木製椅子の座席上部分と基礎車体の下部分の２つに区別し、下部分の基礎車体は安全性を保つため、固定のフレームにして車椅子の心臓部とも言われている前、後車輪、ブレーキ等を取付けし木製椅子の座席上部分と下部分を合体させて、木製椅子の裏下に取り付けてある回転板を軸にして上部分椅子が３６０°回転できる事を特徴とした車椅子。
(57)【要約】      （修正有）【課題】足の指にかかる圧力を軽減し、体重移動時の対応を容易にするスポーツシューズを提供する。【解決手段】靴の先端が親指用と他の指用に分離し、その分離した親指用と他の指用をそれぞれ独立した外皮で収納する事で親指と他の指は仕切られた形になり独立した動きがスムーズに出来るように構成する。【選択図】図１
0003150207.tif 000002
【実用新案登録請求の範囲】
【請求項１】
足の親指と他の指が独立した収納のスポーツシューズである。
【請求項２】
外形上親指と他の指が独立し、親指と隣の指の間にシューズの一部が食い込む構造で、踏み込み動作時に指先へのシューズ外皮圧力の軽減に配慮した機能を有している。
【考案の詳細な説明】
【技術分野】
【０００１】本考案は、スポーツシューズに、より機能性をもたせたものである。
【背景技術】
【０００２】スポーツシューズの開発は、素材開発での軽さ、シューズのフィット感の改善はそのスポーツの記録更新に寄与する事を目的になされた側面を持っている。
健康志向の面から、記録更新もさることながらスポーツを気持ちよく楽しみたい人たちも増加しスポーツシューズを履く事が心の負担にならない物を目標にした。
【考案の開示】
【考案が解決しようとする課題】
【０００３】現在のスポーツシューズは、足の先全体が１つの収納体にまとめて収められ、フィット感を出す為、甲の部分を縛る事で、足の先全体が足の甲に向かって圧力を受けている。
【課題を解決するための手段】
【０００４】親指と人差し指の間にシューズの一部を挟み込む構造に変更する事で、指にかかる圧力を軽減する。
【考案の効果】
【０００５】親指が比較的自由に動かせることで、スタート時の蹴り出す力が増したり外反母趾の防止に効果が期待できる。
【考案の実施するための最良の形態】
【０００６】外形は足袋のような形で、異なるところは素材、あしの固定方法、かかとの荷重対策であってスポーツシューズの基本的要素は備えている。
【図１】
0003150207.tif 000003
【手続補正書】
【提出日】平成20年11月17日(2008.11.17)
【手続補正１】
【補正対象書類名】実用新案登録請求の範囲
【補正対象項目名】全文
【補正方法】変更
【補正の内容】
【実用新案登録請求の範囲】
【請求項１】
靴の先端が親指用と他の指用に分離した形状をしており、その分離した親指用と他の指用をそれぞれ独立した外皮で収納する事で親指と他の指は仕切られた形になり独立した動きがスムーズに出来るスポーツシューズである。
【請求項２】
分離した親指用と他の指用の外皮の間を、丈夫な素材で靴の底面から指間を通り靴の上部の靴紐を通す外皮連結する、下駄の鼻緒の役目担う紐帯を持つ事で足の指先から足の甲へのフィット感を指の付け根に変更する事で指先の開放感を高めたスポーツシューズである。
【手続補正２】
【補正対象書類名】明細書
【補正対象項目名】全文
【補正方法】変更
【補正の内容】
【考案の詳細な説明】
【技術分野】
【０００１】本考案は、スポーツシューズに、より機能性をもたせたものである。
【背景技術】
【０００２】スポーツシューズの開発は、素材開発での軽さ、シューズのフィット感の改善はそのスポーツの記録更新に寄与する事を目的になされた側面を持っている。健康志向の面から、記録更新もさることながらスポーツを気持ちよく楽しみたい人たちも増加しスポーツシューズを履く事が心の負担にならない物を目標にした。
【考案の開示】
【考案が解決しようとする課題】
【０００３】現在のスポーツシューズは、足の先全体が１つの収納体にまとめて収められ、フィット感を出す為、甲の部分を縛る事で、足の先全体が足の甲に向かって圧力を受けている。
【課題を解決するための手段】
【０００４】親指と人差し指の間にシューズの一部を挟み込む構造に変更する事で、指にかかる圧力を軽減する。
【考案の効果】
【０００５】親指が比較的自由に動かせることで、スタート時の蹴り出す力が増したり外反母趾の防止に効果が期待できる。
【考案の実施するための最良の形態】
【０００６】外形は足袋のような形で、異なるところは素材、あしの固定方法、かかとの荷重対策であってスポーツシューズの基本的要素は備えている。
【図面の簡単な説明】
【０００７】
【図１】〔図１は平面図〕  考案の最も特徴を表現する図で、［請求項１］に沿って、従来のスポーツシューズと比べ指先の形状の違いを主張する為に準備したもので、靴の先端に「切り込み」があり、従来品と区別を判りやすくしている図である。
【図２】〔図２は斜め上からのイメージ図〕  考案の特徴を表現する図で、［請求項２］に沿って、靴紐を通す丈夫な外皮と靴底を結ぶ紐帯がどのような位置を通るかを主にイメージ図で説明しようとしている。
【符号の説明】
【０００８】  ▲１▼  親指と他の指を分離する「切り込み」  ▲２▼  靴の底面と上部の靴紐を通す外皮を結ぶ連結外皮  ▲３▼  通気性のある柔らかな素材
【手続補正３】
【補正対象書類名】図面
【補正対象項目名】全図
【補正方法】変更
【補正の内容】
【図１】
0003150207.tif 000004
【図２】
0003150207.tif 000005
【手続補正書】
【提出日】平成21年2月7日(2009.2.7)
【手続補正１】
【補正対象書類名】実用新案登録請求の範囲
【補正対象項目名】全文
【補正方法】変更
【補正の内容】
【実用新案登録請求の範囲】
【請求項１】
靴の先端が親指用と他の指用に分離した形状をしており、その分離した親指用と他の指用をそれぞれ独立した外皮で収納する事で親指と他の指は仕切られた形になり独立した動きがスムーズに出来るスポーツシューズ。
【請求項２】
分離した親指用と他の指用の外皮の間を、丈夫な素材で靴の底面から指間を通り靴の上部の靴ひもを通す外皮を連結する、下駄の鼻緒の役目を担う紐帯を持つ事で足の指先から足の甲へのフィット感を指の付け根に変更する事で指先の開放感を高めたことを特徴とする請求項１に記載のスポーツシューズ。
(57)【要約】      （修正有）【課題】振り抜く軌道と打撃力を同時に確認する事が出来るゴルフ練習の素振り用器具を提供する。【解決手段】素振り用のシャフト本体に３６０度回転する振り子２を取付け、素振の正しい軌道で振り抜く事で、遠心力によりストッパ４，５が外れて振り子が回転し、又同時に振り子の回転数により打撃力の確認が出来る。【選択図】図１
0003150214.tif 000002
【実用新案登録請求の範囲】
【請求項１】
ゴルフ練習の素振り用の器具で木、金属、合成樹脂等で製作、シャフトの本体に３６０度回転出来る振り子を取付けたもの。
【請求項２】
シャフトを振り上げた際、振り子が自由回転せずシャフトと一体となって振り下ろせるように、シャフト本体と振り子のにストッパーを取付けた器具。
【請求項３】
ストッパーは遠心力で外れる構造とするため凸凹の形状とし、凸凹の片方に弾性素材のゴム、バネ等の材料を使用する器具。
【考案の詳細な説明】
【技術分野】
【０００１】この考案は、ゴルフの練習用のものであり、特に、素振りをする事で軌道と打撃力を確認出来るものである。
【背景技術】
【０００２】従来の器具は素振りの為のもの、或いは素振りの早さを確認するといった単独の目的の器具であった。
【考案の開示】
【考案が解決しようとする課題】
【０００３】素振りの動作により、振り抜く軌道と打撃力を同時確認する事。
【課題を解決するための手段】
【０００４】シャフト本体に振り子を取付ける事で軌道と打撃力を確認する事が出来る。
【考案の効果】
【０００５】ゴルフクラプを振り抜くと最下点においてはクラブヘッドはクラブシャフトのしなりによりシャフトを追い越し、打出す方向にしなっている。
その効果をこの新案が実証した。
【考案を実施するための最良の形態】
【０００６】木、金属、合成樹脂等で製作したシャフトの本体に３６０度回転する振り子を取り付け、遠心力によりストッパーが外れ、振り子が回転する事で解決
する。
【実施例】
【０００７】木製で試作品を製作、検証し効果を確認。
【産業常の利用可能性】
【０００８】ゴルフの練習のみならずフィットネスクラブ又は自宅で健康器具として利用可能。但し、本体の長さは９０ｃｍ程度とする。
【図面の簡単な説明】
【０００９】
【図１】翻案の斜視図
【符号の説明】
【００１０】１    本  体
２    振り子
３    振り子留め
４    凸ストッパー
５    凹ストッパー
【図１】
0003150214.tif 000003
【手続補正書】
【提出日】平成21年2月4日(2009.2.4)
【手続補正１】
【補正対象書類名】実用新案登録請求の範囲
【補正対象項目名】全文
【補正方法】変更
【補正の内容】
【実用新案登録請求の範囲】
【請求項１】
木、金属、合成樹脂等で製作したシャフトの本体に、３６０度回転出来る振り子を取り付けたことを特徴とするゴルフ練習の素振り用器具。
【請求項２】
シャフトを振り上げた際、振り子が自由回転せずシャフトと一体となって振り下ろせるように、シャフト本体と振り子の間にストッパーを取り付けたことを特徴とする請求項１記載のゴルフ練習の素振り用器具。
【請求項３】
ストッパーは遠心力で外れる構造とするため凸凹の形状とし、凸凹の片方に弾性素材のゴム、バネ等の材料を使用することを特徴とする請求項２記載のゴルフ練習の素振り用器具。